(57)【要約】【課題】簡単な構造で、取り付け作業も容易にでき、扉の閉鎖時、上部に生じる隙間を、少なくすることができるフラップ扉を提供する。【解決手段】板状の扉本体２と、扉本体２の内側両端部に固定されるスライダー３と、家具等の収納部９内の両側壁面に固定されるスライドレール３と、を備える。スライドレール３上の端部には、当接部３１が突設され、当接部３１には、山形摺動面３２と当接端部３３が設けられる。開放時、扉本体２は収納部９内の上部に挿入され、閉鎖時、スライダー４を、スライドレール３のレール摺動面３０上で前方に摺動させ、さらに下側に回動させて、扉本体２により収納部９を閉じる。【選択図】図１
2018048544.tif 000002
【特許請求の範囲】
【請求項１】
板状の扉本体と、該扉本体の内側両端部に固定されるスライダーと、収納部内の両側壁面に固定されるスライドレールと、を備え、開放時、該扉本体は該収納部内の上部に挿入され、扉の閉鎖時、該スライダーまたは該扉本体を、該スライドレールの摺動面上で前方に摺動させつつ下側に回動させて、該収納部を閉じるフラップ扉において、
該スライダーの前部に持上係止部が突設され、該持上係止部の上面に傾斜した持上傾斜面が設けられるとともに、該持上傾斜面の中間部に円弧状凹面が設けられ、
該スライドレールの前端部に、当接部が該レール摺動面から上方に突設され、該当接部上に、該扉本体の内側面が摺接する山形摺動面が設けられ、該当接部の側方に曲り壁部が突き出すように突設され、
該曲り壁部の内側に、該スライダーの該持上係止部が進入可能な進入空間が設けられ、該曲り壁部の上端部に、閉鎖時、該スライダーの持上係止部に当接して該スライダーを持ち上げる持上端部が設けられ、
扉を閉鎖する際、その最終段階で、前記スライダーの該持上係止部の該円弧状凹面及び該持上傾斜面が該持上端部に順に摺接し、該スライダーが持ち上げられることを特徴とするフラップ扉。
【請求項２】
前記スライドレールは、長手方向の中央位置を垂直に通る中心線を、対称軸とする対称形に形成され、前記収納部内の両側壁面に固定される１対のスライドレールが、同一形状に形成されたことを特徴とする請求項１記載のフラップ扉。
【請求項３】
前記スライダーは、正面の中央位置を垂直に通る中心線を、対称軸とする対称形に形成され、該スライダーの摺動部本体の下面に、前記スライドレールのレール摺動面と摺接する摺動面が設けられた特徴とする請求項１記載のフラップ扉。
【請求項４】
前記スライダーの前記持上係止部の先端に、フック状の係止先端部が設けられたことを特徴と請求項１記載のフラップ扉。
【請求項５】
前記スライドレールの当接部における、前記当接端部から前記レール摺動面に続く部位に、該レール摺動面から鋭角に傾斜して立ち上がる傾斜面が設けられたことを特徴と請求項１記載のフラップ扉。
【請求項６】
前記スライドレールの内側側面に、前記スライダーの側面が摺接可能なレール側部摺動面が形成され、扉の開閉時、該スライダーが該レール側部摺動面に沿って摺接し、または摺接可能な状態で移動することを特徴と請求項１記載のフラップ扉。
【請求項７】
前記スライダーのスライド本体は、略直方体形状に形成され、該本体の前部に前記持上係止部が突設され、該スライド本体及び持上係止部の側面に、前記スライドレールの該レール側部摺動面と摺接可能な側部摺動面が形成されたことを特徴と請求項６記載のフラップ扉。
【請求項８】
前記収納部内の両側壁面に固定される１対のスライドレールは、前端にのみ、前記当接部として山形支持当接部が設けられ、前記収納部空間の中央を垂直に通る対称面とする面対称形状に、該１対のスライドレールが形成されていることを特徴とする請求項６記載のフラップ扉。
【請求項９】
前記収納部を開放するために前記扉本体を該収納部内に差し込んだとき、該扉本体の端部が当接するストッパが、該収納部内の側壁部に設けられたことを特徴とする請求項６記載のフラップ扉。
【発明の詳細な説明】
【技術分野】
【０００１】
本発明は、家具類の収納部の前面開口を開閉するフラップ扉に関し、特に開放時、扉が収納部の天板の内側に収納される構造のフラップ扉に関する。
【背景技術】
【０００２】
家具類の収納部の前面開口を開閉する扉として、従来、フラップ扉が、下記特許文献１などで知られている。このフラップ扉は、扉を収納部の上側で前後にスライドするように取り付け、扉を引き出した状態で、ダンパー軸を介して扉を下側に回動させ、収納部の前面開口を閉じ、開放する場合は、ダンパー軸を支点に扉を手前に回し、略水平にした状態で、扉を収納部の天板の上側の空間にスライドさせて開放する。
【先行技術文献】
【特許文献】
【０００３】
【特許文献１】実用新案登録第２５６９５９４号
【発明の概要】
【発明が解決しようとする課題】
【０００４】
しかし、このフラップ扉は、扉の内側両側にスライドレールを固定し、ダンパー軸を設けたダンパー支持部をキャビネット側に固定するとともに、スライドレールのインナーレールをダンパー支持部に固定し、さらに、ダンパー支持部のインナーレールをスライドレールの内側にスライド可能に係合させて組み付ける必要があった。このため、スライド機構及び回転機構の構造が複雑であり、その取付作業も複雑化するため、一般のユーザーが簡単に取り付けることができないという課題があった。
【０００５】
また、上記フラップ扉は、扉の開放時、扉が収納部の天板の上側に挿入される構造のため、家具類の収納部において、天板の上側に扉を挿入するスペースが必要となり、扉用の挿入スペースがない場合、この種のフラップ扉は使用できないという課題があった。
【０００６】
一方、本棚、書庫等の収納部を開閉するフラップ扉として、従来、図２４に示すように、キャビネット５０の両側壁の内側面に、水平摺動溝を有するレール５２を水平に固定し、扉５１の両側側部に軸ピン５４を突設した状態で、軸ピン部材５３を扉５１の内側面の両端部に固定したフラップ扉が知られている。このフラップ扉は、扉５１をキャビネット５０内の上端位置に挿入して、扉５１を開き、また、扉５１を閉じる場合、扉５１を手前に引き出し、その引き出し端で、軸ピン５４を支点に扉を下側に回動させ、キャビネット５０の収納部の前面開口を閉じるように使用される。
【０００７】
しかし、このフラップ扉は、構造が簡単で、比較的簡便に使用できるものの、扉５１を閉じたとき、図２４に示す如く、扉５１は軸ピン５４を支点に回動し、その上端部の最大回動半径Ｒは、必然的に軸ピン５４の中心点から扉５１の上縁部（厚さ方向の）の角部までの半径となる。このため、レール５２の固定位置は、扉５１の厚さ方向の上縁部（角部）が、回動時にキャビネット５０の天板の内側面に接触しない位置とし、レール５２を両側壁の内側に固定し、軸ピン部材５３を扉５１の内側に固定して、フラップ扉は使用される。
【０００８】
しかし、図２４に示す如く、このフラップ扉は、扉５１を引き出して下側に回動し、キャビネット５０の前面開口を垂直姿勢の扉で閉じた状態にすると、扉５１の上端部とキャビネット５０の天板の内側面との間に、隙間Ｃ２がかなり大きく発生する課題があった。
【０００９】
本発明は、上述の課題を解決するものであり、簡単な構造で、取り付け作業も容易にでき、扉の閉鎖時、上部に生じる隙間を、少なくすることができるフラップ扉を提供することを目的とする。
【課題を解決するための手段】
【００１０】
本発明に係るフラップ扉は、
板状の扉本体と、該扉本体の内側両端部に固定されるスライダーと、収納部内の両側壁面に固定されるスライドレールと、を備え、開放時、該扉本体は該収納部内の上部に挿入され、扉の閉鎖時、該スライダーまたは該扉本体を、該スライドレールの摺動面上で前方に摺動させつつ下側に回動させて、該収納部を閉じるフラップ扉において、
該スライダーの前部に持上係止部が突設され、該持上係止部の上面に傾斜した持上傾斜面が設けられるとともに、該持上傾斜面の中間部に円弧状凹面が設けられ、
該スライドレールの前端部に、当接部が該レール摺動面から上方に突設され、該当接部上に、該扉本体の内側面が摺接する山形摺動面が設けられ、該当接部の側方に曲り壁部が突き出すように突設され、
該曲り壁部の内側に、該スライダーの該持上係止部が進入可能な進入空間が設けられ、該曲り壁部の上端部に、閉鎖時、該スライダーの持上係止部に当接して該スライダーを持ち上げる持上端部が設けられ、
扉を閉鎖する際、その最終段階で、前記スライダーの該持上係止部の該円弧状凹面及び該持上傾斜面が該持上端部に順に摺接し、該スライダーが持ち上げられることを特徴とする。
【００１１】
この発明のフラップ扉によれば、扉本体を収納部から引き出して、キャビネット等の収納部を閉じる際、従来のように扉本体が軸ピンを中心に回動して閉じるのではなく、先ず、扉本体の内側面が、スライドレール端の当接部の山形摺動部を支点に閉じる側に回動し、その後、持上端部がスライダーの持上係止部の円弧状凹面に当接し、扉本体が上から下に回動して扉を閉じる際、スライドレール側の曲り壁部との作用により、スライダー及び扉本体が持ち上がるように回動して、フラップ扉が閉じられるため、扉本体の上側の隙間を最少とすることができる。
【００１２】
さらに、フラップ扉の部品点数としては、１対のスライドレールと１対のスライダーのみから構成することができ、これらの部品は全て合成樹脂で成形することができるので、非常に簡単に安価なコストで製造することができる。また、このフラップ扉を使用すれば、一般のユーザーであっても、固定ネジでスライドレールとスライダーを所定位置に固定するのみで、非常に簡単にキャビネット等の収納部に、フラップ扉を組み付けることができる。
【００１３】
ここで、上記スライドレールは、長手方向の中央位置を垂直に通る中心線を、対称軸とする対称形に形成され、上記収納部内の両側壁面に固定される１対のスライドレールが、同一形状に形成された構成とすることができる。また、上記スライダーは、正面の中央位置を垂直に通る中心線を、対称軸とする対称形に形成され、上記扉本体の内側両端部に固定される１対のスライダーが、同一形状に形成された構成とすることができる。
【００１４】
これによれば、１対のスライドレール、１対のスライダーは、各々、同一の成形型を用いて同一形状に、安価に成形することができ、一般のユーザーが、左右の別なく簡単に、スライドレールとスライダーをキャビネット等に取り付けることができる。
【００１５】
またここで、上記スライドレールの当接部には、当接端部からレール摺動面に続く部位に、レール摺動面から鋭角に傾斜する傾斜面を設けることが好ましい。これによれば、開放時、扉本体を手前に引き出す際、スライダーの当接面が強く当接端部に当接しても、スライダーを安定して停止させ、スライダーの跳ね返りなどによる扉本体の外れを防止することができる。
【００１６】
またここで、上記持上係止部の先端に、フック状に曲折した係止先端部を設けることが好ましい。これによれば、扉本体を閉じたとき、スライダーの持上係止部の係止先端部が、スライドレール端部における当接部の曲り壁部の持上端部に係止され、または係止可能となるので、閉鎖時の、扉本体の外れを防止することができる。
【００１７】
ここで、上記スライドレールの内側側面に、前記スライダーの側面が摺接可能なレール側部摺動面が形成され、扉の開閉時、該スライダーが該レール側部摺動面に沿って摺接し、または摺接可能な状態で移動する構成とすることができる。また、該スライダーのスライド本体は、略直方体形状に形成され、該本体の前部に前記持上係止部が突設され、該スライド本体及び持上係止部の側面に、該スライドレールの該摺動側面と摺接可能な側部摺動面を形成するように構成することができる。
【００１８】
これによれば、スライダーの形状を小形化し単純化することができ、且つスライドレールについても、簡単な構造で小形化が可能となって、キャビネット等の収納部のスペースを広く使用することができ、且つ製造コストを低減することができる。
【００１９】
またここで、上記スライドレールの内側側面に、前記スライダーの側面が摺接可能なレール側部摺動面が形成され、扉の開閉時、該スライダーが該レール側部摺動面に沿って摺接し、または摺接可能な状態で移動するように構成することができる。
【００２０】
またここで、上記収納部内の両側壁面に固定される１対のスライドレールは、前端にのみ、上記当接部として山形支持当接部が設けられ、前記収納部空間の中央を垂直に通る対称面とする面対称形状に、該１対のスライドレールが形成される構成とすることができる。
【００２１】
またここで、上記フラップ扉において、上記スライドレールの前端にのみ、前記当接部が設けられ、上記収納部を開放するように上記扉本体を該収納部内に差し込んだとき、該扉本体の端部が当接するストッパを、該収納部内の側壁部に設けるように構成することができる。これによれば、スライドレールの形状を簡単化することができ、且つ各種の大きさの収納部を有するキャビネット等に、フラップ扉を使用することができる。
【発明の効果】
【００２２】
この発明のフラップ扉によれば、簡単な構造で、取り付け作業も容易にでき、扉の閉鎖時、上部に生じる隙間を、少なくすることができる。
【図面の簡単な説明】
【００２３】
【図１】本発明の第１実施形態を示すフラップ扉の全体構成の分解斜視図である。
【図２】キャビネット内に装着した同フラップ扉の断面図である。
【図３】（ａ）はスライドレールの拡大正面図、（ｂ）は同スライドレールの右側面図である。
【図４】（ａ）はスライドレールの平面図、（ｂ）は同スライドレールの左側面図である。
【図５】（ａ）はスライドレールの斜め右側から見た斜視図、（ｂ）はその斜め左側から見た斜視図である。
【図６】（ａ）はスライダーの正面図、（ｂ）は同スライダーの右側面図である。
【図７】（ａ）はスライダーの平面図、（ｂ）は同スライダーの底面図である。
【図８】（ａ）はスライダーの底面側から見た斜視図、（ｂ）は同スライダーの平面側から見た斜視図である。
【図９】スラップ扉を閉じる際の断面説明図である。
【図１０】スラップ扉を閉じる際の断面説明図である。
【図１１】スラップ扉を閉じる際の断面説明図である。
【図１２】スラップ扉を閉じる際の詳細断面説明図である。
【図１３】第２実施形態のフラップ扉の全体構成斜視図である。
【図１４】同フラップ扉の平面図である。
【図１５】キャビネット内に装着した同フラップ扉の断面図である。
【図１６】（ａ）（ｂ）は同フラップ扉の左側のスライドレールの斜視図である。
【図１７】（ａ）は右側のスライドレールの正面図、その右側面図（ｂ）、（ｃ）はその左側面図、（ｄ）はその平面図、（ｅ）はその底面図、（ｆ）はその背面図である。
【図１８】（ａ）（ｂ）は同フラップ扉のスライダーの斜視図である。
【図１９】（ａ）は同スライダーの正面図、（ｂ）はその左側面図、（ｃ）はその平面図、（ｄ）はその断面図である。
【図２０】同フラップ扉の使用態様を示し、扉本体を引き出し、キャビネットを閉じる際の断面図である。
【図２１】同キャビネットを閉じる際の断面図である。
【図２２】同キャビネットを閉じる際の断面図である。
【図２３】同キャビネットを閉じる際の詳細断面説明図である。
【図２４】従来のフラップ扉を閉じる際の断面説明図である。
【発明を実施するための形態】
【００２４】
以下、本発明の実施形態を図面に基づいて説明する。図１〜図１２は第１実施形態のフラップ扉を示している。このフラップ扉は、図１、２に示す如く、家具類などのキャビネット８の収納部９を閉じる板状の扉本体２と、扉本体２の内側両端部に固定される１対のスライダー４と、収納部９内の両側壁面の水平位置に固定される１対のスライドレール３と、から構成される。
【００２５】
キャビネット８の収納部９を開閉するフラップ扉は、開放時、扉本体２が収納部９内の上部空間に挿入され、閉鎖時、内側両端部に取り付けたスライダー４を、スライドレール３のレール摺動面３０上で前方に摺動させ、その引き出し端で、下側に回動させて、収納部９を閉じる。この扉本体２を引き出し端で下側に回動させるとき、従来のように軸ピンを中心に回動せず、スライダー４とスライドレール３が協働して、扉本体２が、前後にずれ且つ持ち上がるように作用し、図２に示す如く、閉鎖時には、キャビネット８の天板と扉本体２の上端間に生じる隙間Ｃ１が最少となるように構成される。
【００２６】
すなわち、スライドレール３は、図３〜図５に示すように、上面にレール摺動面３０を有し、長尺で細長い形状に形成され、スライドレール３の両端部に当接部３１が、レール摺動面３０から上方に突出して形成される。図３に示す如く、スライドレール３は、長手方向の中央位置を垂直に通る中心線Ｓ１を、対称軸とする対称形に形成され、つまりスライドレール３は側面視で左右対称形に形成され、収納部９内の左右両側壁面に固定される１対のスライドレール３は、同一形状である。
【００２７】
これにより、製造時、スライドレール３を合成樹脂の型成形により成形する場合、同一の成形型で両側のスライドレール３を成形できるため、製造コストを下げることができる。また、スライドレール３をキャビネット８内の左右両側壁部に取り付ける際、スライドレール３の方向性、左右の別などを考慮せずに、取付作業を簡単に行うことできるようになっている。
【００２８】
なお、フラップ扉用のスライドレールの機能としては、レールの前部にのみ、当接部３１及び曲り壁部３４を設ければ良いため、レールの後部（奥部）の当接部３１及び曲り壁部３４は単純なストッパ形状であってもよい。上述の如く、本実施形態のスライドレール３は、レールの両端部に、当接部３１及び曲り壁部３４を対称形に設けて、両側壁面のスライドレールを共通して使用可能としている。また、レールの両端部に設けた当接部３１及び曲り壁部３４は、中心線Ｓ１を対称軸とした対称形に形成され、同一の構成である。このため、両側の部材には、同じ符号を付して、一方の当接部３１及び曲り壁部３４のみを説明し、他方の説明は省略する。
【００２９】
図４，５に示すように、スライドレール３の前端の当接部３１は、レール摺動面３０から上方に突設され、当接部３１上には、扉本体２の内側面が摺接し山形状に形成された山形摺動面３２が設けられる。当接部３１の内側先端に、スライダー４の当接面４２を当てる当接端部３３が、円弧状曲面をもった角部状に形成される。スライドレール３の当接部３１には、図３に示す如く、水平方向に固定孔３８が貫通して設けられる。当接部３１上の山形摺動面３２は、扉本体２を開くとき、上に回動させながら収納部９の上空間に挿入する際、スライダー４の当接面４２及び傾斜摺動面４８が円滑に山形摺動面３２を滑りながら回動して、進入するように形成される。
【００３０】
また、スライドレール３上の当接部３１は、図４に示すように、一方の側縁部側に偏倚した位置に突設され、これにより、当接部３１の側部には、スライダー４用の進入空間３９が形成される。進入空間３９の底面には、レール摺動面３０からの摺動面がそのまま延設され、扉本体２の引き出し時、スライダー４の持上係止部４３がレール摺動面３０から進入空間３９内に円滑に進入可能となっている。
【００３１】
スライドレール３の端部で、進入空間３９の外側に、曲り壁部３４が進入空間３９の外側を覆うように、且つ先端を少し内側に傾斜した状態で立設される。この曲り壁部３４の外側面は、当接部３１の外側面と一体となるように形成される。曲り壁部３４の上端には、持上端部３５が角状に形成され、持上端部３５の上角部は当接部３１の山形摺動面３２の端部の角部と一直線状に連続するように形成される。そして、図９等に示すように、持上端部３５の直下外側に、第１傾斜面３６が形成され、第１傾斜面３６の下側には、鈍角の曲り面を介して、第２傾斜面３７が形成される。
【００３２】
これにより、図９に示す如く、扉本体２を収納部９内の上部位置から引き出すと、扉本体２は、その内側面が当接部３１の山形摺動面３２上に摺接し、前方に移動する。その後、スライダー４の持上係止部４３が進入空間３９内に進入し、スライダー４の傾斜した当接面４２が当接部３１の当接端部３３に接触するようになっている。
【００３３】
さらに、図３〜図５に示すように、当接部３１の内側面、つまり当接部３１の当接端部３３から下側のレール摺動面３０に続く部位に、レール摺動面３０から鋭角に傾斜する傾斜面３１ａが形成され、当接端部３３は側面視では鋭角状に形成され、且つ円弧状曲面を有して形成される。また、スライダー４の当接面４２は垂直に形成され、当接面４２の上側は傾斜摺動面４８として上方に傾斜して形成される。これにより、扉の開放時、扉本体２を手前に引き出す際、スライダー４の当接面４２が当接部３１に当たった後、扉本体２が下側に回りながら、当接端部３３の円弧状曲面に傾斜摺動面４８が良好に摺接し、扉本体２が閉じる方向に回動する構造である。
【００３４】
また、スライドレール３の当接部３１の傾斜面３１ａは、図９に示す如く、扉本体２を引き出して、その手前を少し上に持ち上げた場合でも、スライダー４の当接面４２が当接部３１の当接端部３３の円弧状曲面に良好に接して回動できるようになっている。そして、扉本体２を閉じるために、図１０に示す如く、扉本体２を下側に回したとき、扉本体２の内側面が持上端部３５に当接し、そのまま持上端部３５を支点に下側に回動し、扉本体２の内側面は第１傾斜面３６に当接するようになる。
【００３５】
このとき、図１０に示すように、扉本体２側のスライダー４の当接面４２が当接端部３３を上側に摺動して扉本体２が閉方向に回動する。また、図１０、図１１に示すように、当接端部３３の曲り壁部３４には、第１傾斜面３６の下側に、鈍角の角部を介して、第２傾斜面３７が形成される。これにより、扉本体２の閉鎖時、扉本体２を下側に回動操作したとき、後半部分で、図１１に示す如く、扉本体２の内側面が第１傾斜面３６から鈍角の角部を介して第２傾斜面３７に当接するようになっている。
【００３６】
扉本体２の内側両端部に固定される１対のスライダー４は、同一形状に形成され、図６〜図８に示すように、直方体形状の摺動部本体４０を有し、摺動部本体４０の正面側に、摺動部本体４０の左右幅より小幅の持上係止部４３を突設して構成される。
【００３７】
図６（ａ）に示すように、スライダー４は、正面の中央位置を垂直に通る中心線Ｓ２を、対称軸とする左右対称形に形成される。そして、扉本体２の内側両端部に固定される１対のスライダー４は、同一形状である。これにより、製造時、スライダー４を合成樹脂の型成形により成形する場合、同一の成形型で両側のスライダー４を成形できるため、製造コストを下げることができる。また、スライダー４を扉本体２の内側面奥部の両側に取り付ける際、左右の別を考慮せずに、取付作業を簡単に行うことできるようになっている。
【００３８】
なお、スライダーは、左右非対称形に形成することもできる。つまり、本実施形態のスライダー４において、摺動部本体４０の前面の持上係止部４３の両側に当接面４２及び傾斜摺動面４８を配置しているが、閉鎖時、レールの当接端部３３に実際に当接する当接面４２は、一方の側のみであるので、スライダー４は左右対称形とせず、一方の側のみ、当接面４２及び傾斜摺動面４８を設けるように形成してもかまわない。
【００３９】
摺動部本体４０の下面に、上記スライドレール３のレール摺動面３０と摺接する第１摺動面４１が設けられる。図８（ｂ）に示すように、摺動部本体４０の上面が、扉本体２への取付面であり、上面の取付面の前部に、位置決め部４９が上側に突設される。これにより、扉本体２の内側面奥部（両側）にスライダー４を取り付ける際、図６（ｂ）に示すように、位置決め部４９を扉本体２の奥部の角部に当接させ、固定孔４７に固定ネジを差し込んで固定すれば、簡単にスライダー４を所定位置に取り付けることができる。固定孔４７は摺動部本体４０の中央部に、上下に貫通して設けられる。
【００４０】
さらに、摺動部本体４０の正面側、つまり第１摺動面４１と垂直な前面側に当接面４２が設けられ、当接面４２の中央位置つまり摺動部本体４０の前面に、持上係止部４３が突設される。持上係止部４３は、平面視で長方形状に、側面視で略直角三角形状に、前方に突き出すように形成される。この持上係止部４３は、扉本体２の閉鎖時、収納部９の上部から扉本体２を引き出したとき、図９に示すように、レール摺動面３０上を摺動しながら当接部３１の側方の進入空間３９に進入し、持上係止部４３の左側または右側の当接面４２が当接部３１の当接端部３３に当たる構造である。
【００４１】
持上係止部４３の上面には、傾斜した持上傾斜面４５が設けられるとともに、持上傾斜面４５の中間部に円弧状凹面４４が設けられる。持上係止部４３の持上傾斜面４５には、図１１に示すように、扉本体２の閉鎖時、その最終段階で、スライドレール３の曲り壁部３４の持上端部３５が当接して摺動し、最後に、持上端部３５が円弧状凹面４４から持上傾斜面４５に移動するとき、持上係止部４３が持上端部３５から持上力を受け、スライダー４が扉本体２と共に持ち上げられるように構成される。
【００４２】
さらに、持上係止部４３の先端部は上方に曲折してフック状に形成され、係止先端部４６が先端に形成される。この係止先端部４６は、扉本体２を閉じたとき、図１１のように、スライダー４の持上係止部４３の係止先端部４６が、スライドレール３側の曲り壁部３４の持上端部３５に係止され、または係止可能となる。これにより、閉鎖時における扉本体２の外れを防止することができる。
【００４３】
上記構成のフラップ扉は、例えば、本棚、書庫等のキャビネット８の収納部９に取り付けて使用される。スライドレール３は、図２に示す如く、キャビネット８の収納部９内における、左右の内側壁部両側の上部に、そのレール摺動面３０を上に向けて水平に配置し、前後両側の固定孔３８に固定ネジを差し込んで、固定される。左右の内側壁部両側に固定されるスライドレール３は同一形状であるので、左右の別を確認することなく、容易に固定することができる。
【００４４】
スライダー４は、図１に示すように、扉本体２の内側後端部（奥部）の両側に、その持上係止部４３を手前に向け、位置決め部４９を扉本体２の後端部に当てて取り付けられる。その取付は、固定孔４７に固定ネジを差し込み、扉本体２の内側後端部の定位置に固定して行う。扉本体２の内側面の左右両側に取り付けられるスライダー４は、同一形状であるので、左右の別を確認することなく、容易に固定することができる。
【００４５】
このように、１対のスライドレール３及び１対のスライダー４は、簡単に取り付けることができ、キャビネットを購入したユーザーが、自分でフラップ扉を取り付ける場合でも、簡単に取り付けることができる。
【００４６】
スライダー４を内側後端部（奥部）の両側に固定した扉本体２を、キャビネット８の収納部９に組み付ける場合、扉本体２の後端部を、収納部９内の上部位置に差し込むように挿入する。このとき、内側後端部両側のスライダー４が、スライドレール３のレール摺動面３０上に乗るように、挿入する。
【００４７】
この操作により、扉本体２は、図２に示す如く、その両内側のスライダー４が、スライドレール３のレール摺動面３０上に乗り、前後に摺動可能な状態となり、扉本体２の前部の内側面が、スライドレール３の当接部３１の山形摺動面３２に載置され、扉本体２は、奥部を少し傾け、前後に摺動可能な状態に保持されることとなる。
【００４８】
図２に示すように、扉本体２が収納部９内上部に差し込まれた状態が開放状態であり、この状態から、収納部９を扉本体２により閉鎖する場合、先ず、扉本体２を手前に引き出す。このとき、スライダー４の第１摺動面４１が、スライドレール３のレール摺動面３０上を摺動し、扉本体２の内側面両側が、両側のスライドレール３の当接部３１の山形摺動面３２上を摺動し、円滑に引き出すことができる。このとき、扉本体２の前部を少し持ち上げるようにして引き出してもよい。
【００４９】
次に、両側のスライダー４の当接面４２が、図９に示す如く、扉本体２の引き出し端で、スライドレール３の当接部３１の当接端部３３に当接する。このとき、図１０のように、扉本体２の前部を少し下方に押して下側に回動させる。扉本体２は、図１０に示す如く、当接部３１の曲り壁部３４先端の持上端部３５を支点に、そのスライダー４を上側に上げるように回動する。
【００５０】
このとき、スライダー４は、その当接面４２から傾斜摺動面４８を、当接部３１の当接端部３３に摺接させながら、回動する。そして、図１０に示すように、扉本体２の内側面が、当接部３１の第１傾斜面３６に当接した状態となる。この状態で、扉本体２は、収納部９の開口部に対し約４５度程度の傾斜角度となり、約半分まで閉じた状態となる。
【００５１】
そして、さらに扉本体２を下側に回動させると、図１１に示すように、扉本体２の内側面が、当接部３１の第１傾斜面３６上を、下側に滑りながら回動し、当接部３１の持上端部３５が、スライダー４の持上係止部４３の円弧状凹面４４に当接した状態となる。
【００５２】
このように、扉本体２を下側に回動させて閉じるとき、従来のように軸ピンを中心に扉本体が回動するのではなく、スライダー４とスライドレール３の当接部３１の作用により、扉本体２が下側に滑りながら回動するため、必要とする収納部９内上部空間、つまり扉本体２の回動高さ幅を小さくすることができる。
【００５３】
またこのとき、扉本体２の内側面は、図１１上側に示す如く、曲り壁部３４の第１傾斜面３６と第２傾斜面３７間の角部上のＢ点（図１１のＢ点の紙面厚さ方向に延びる線上）に載置された状態となる。さらにこのとき、曲り壁部３４は、扉本体２の内側面とスライダー４の持上係止部４３の円弧状凹面４４との間に挟まれ、且つ戸当たりもあって、扉本体２の状態は保持される。
【００５４】
そして、図１１の上側から下側に示す如く、扉本体２を完全に閉じるように扉本体２を回動させると、扉本体２には、図１２に示す如く、第１傾斜面３６と第２傾斜面３７間の角部上を支点Ｂとするモーメントが作用する。このとき、曲り壁部３４は、扉本体２の内側面とスライダー４の持上係止部４３の円弧状凹面４４間に挟まれた状態となっており、曲り壁部３４先端の持上端部３５とスライダー４の持上係止部４３の円弧状凹面４４とは、当接点Ｄにおいて当接した状態となる。
【００５５】
このため、図１２に示すように、扉本体２を閉じる方向に閉鎖力Ｆ０で押したとき、支点Ｂの回りのモーメントから、曲り壁部３４先端の持上端部３５（当接点Ｄ）は、スライダー４の持上係止部４３の円弧状凹面４４から押圧力Ｆ１を受ける。これにより、円弧状凹面４４の当接点Ｄは、その反力として、持上端部３５から、押圧力Ｆ１の垂直方向の分力である、押上力Ｆ３を受けることとなる。
【００５６】
このため、扉本体２が閉鎖側に回動されたとき、図１１、図１２に示すように、曲り壁部３４先端の持上端部３５が、円弧状凹面４４からその下側の持上傾斜面４５に摺接するように、持上係止部４３の円弧状凹面４４が上側に回動し、図１１の上側から下側に示す如く、スライダー４の持上係止部４３が持ち上げられる。これにより、スライダー４とともに扉本体２が上昇し、閉鎖時における扉本体２の上端部と収納部９の天板間の隙間Ｃ１は、図１１下側に示すように最少状態となる。またこのとき、持上端部３５の当接点が円弧状凹面４４から持上傾斜面４５に移行して角部を乗り越え、扉本体２は安定状態となる。
【００５７】
閉鎖状態は、図１１下側に示す如く、持上端部３５が持上傾斜面４５に当接し、その状態で、扉本体２の自重による荷重が、持上傾斜面４５の当接部分から持上端部３５にかかる。このため、その当接部分の摩擦抵抗により、図１１下側に示す扉本体２の閉鎖状態は、保持される。
【００５８】
このように、扉本体２を閉じる際、扉本体２が軸ピンなどの軸中心を軸に回動して閉じるのではなく、スライドレール３上を摺動する扉本体２のスライダー４が、スライドレール端の当接部３１に当接した後、スライダー４の持上係止部４３の円弧状凹面４４及び持上傾斜面４５とスライドレール３側の曲り壁部３４の持上端部３５との作用により、スライダー４が持ち上がるように回動して、フラップ扉が閉じられるため、閉鎖状態における扉本体２の上側の隙間を、最少とすることができる。
【００５９】
扉本体２が閉鎖されとき、図１１下側に示す状態となるが、このとき、スライダー４の持上係止部４３の係止先端部４６が、スライドレール３側の曲り壁部３４の持上端部３５に係止され、或いは係止可能な状態となっているので、不用意に扉本体２が外れることはない。
【００６０】
一方、閉鎖した状態の扉本体２を開く場合、扉本体２の下部を手前に引くように回動する。このとき、扉本体２は、その内側面の支点Ｂを中心に図１１の時計方向に回動し、図１１の上図に示す状態となる。
【００６１】
さらに、扉本体２が回動すると、図１０の下図から上図に示すように、扉本体２の内側面の当接位置が、スライドレール３の当接部３１の第１傾斜面３６から持上端部３５に移動し、スライダー４の傾斜摺動面４８が当接部３１の山形摺動面３２の頂部に接触する状態となる。
【００６２】
そしてさらに、扉本体２が上側に回動すると、山形摺動面３２上の接触部がスライダー４の傾斜摺動面４８から扉本体２の内側面に、滑らかに移行する。このとき、扉本体２は、当接部３１の山形摺動面３２上に支持されながら、開方向に回動するため、スライダー４が回動に伴いスライドレール３上に強く当たることはなく、打音の発生などの不具合は防止される。そして、扉本体２は、当接部３１の山形摺動面３２上に支持されて略水平状態となり、その状態で、扉本体２を収納部９内上部に差し込めば、両側のスライダー４がスライドレール３上を摺動し、図２に示すような開放状態となる。
【００６３】
図１３〜図２３は、第２実施形態のフラップ扉を示している。このフラップ扉は、扉本体２に固定されるスライダー７及び収納部９の側壁に固定されるスライドレール６が、ともにより小形化され、且つ単純化された構造である。フラップ扉の扉本体２を閉じる際、上記と同様に、扉本体２側のスライダー７がスライドレール６の山形支持当接部６１に当接した後、スライダー７の持上係止部７３と曲り壁部６４の作用により、スライダー７が持ち上がるように回動し、扉本体２が持ち上がり、その上側の隙間を最少とするようになっている。
【００６４】
左右１対のスライドレール６は、図１３、図１４に示すように、キャビネット８の収納部９内中央に、対称面を、前後方向を向けて垂直に配したとき、当該対称面とする面対称に形成される。左側スライドレールと右側スライドレールは、相互に面対称形状であるため、別部材として成形される。なお、図１７には、右側のスライドレール６のみを記載し、左側のスライドレール６は、右側のスライドレール６の面対称形状となるため、その説明を省略する。
【００６５】
すなわち、スライドレール６は、図１７に示すように、上面にレール摺動面６０が及び内側面にレール側部摺動面６３がレールの長手方向に沿って形成され、
長尺で細長い形状に形成される。スライドレール６の前側先端部にのみ、上記当接部として、山形形状の山形支持当接部６１が、レール摺動面６０から上方に突出して形成され、さらに、山形支持当接部６１から内側（側方）に、曲り壁部６４が突き出すように延設される。図１７（ｃ）に示すように、曲り壁部６４は、山形支持当接部６１の外形形状に沿って下部から立上がり、スライドレール６を正面または側面から見た場合、曲り壁部６４の上部を、手前から背面側に傾斜して湾曲させた形状に形成されている。
【００６６】
図１７に示すように、山形支持当接部６１の上端には、山形摺動面６２が形成され、扉本体２はその内側面を山形摺動面６２上に摺接させ、扉本体２は前後に移動可能である。山形支持当接部６１の曲り壁部６４の外側は、傾斜面６６となっており、図２３に示すように、扉本体２を手前に引き出し下側に回動操作して、収納部９を閉じるとき、扉本体２の内側面が傾斜面６６に当接するようになっている。また、曲り壁部６４の先端に持上端部６５が形成され、図２３に示す如く、扉本体２を閉じる方向に回動操作したとき、持上端部６５が、スライダー７の円弧状凹面７４から持上傾斜面７５に当り、スライダー７及び扉本体２に、持上力を発生させるようになっている。
【００６７】
さらに、スライドレール６には、図１７に示す如く、水平横方向に固定ねじ用の固定孔６８が貫通して設けられ、キャビネット８の内壁面の任意の位置に、スライドレール６を簡単に固定可能である。スライドレール６の固定面は図１７（ｂ）の正面に現れる面であり、当該固定面を収納部９の側壁に当て、固定孔６８と固定ねじを用いて固定する。また、山形支持当接部６１から内側に突設された曲り壁部６４、つまり、山形支持当接部６１の内側部には、スライダー７用の進入空間６９が形成され、扉本体２の引き出し時、スライダー７先端の持上係止部７３がレール側部摺動面６３から進入空間３９内に円滑に進入可能となっている。
【００６８】
これにより、図２１に示す如く、扉本体２を閉じるために、収納部９内の上部位置から引き出すと、扉本体２は、その内側面が山形支持当接部６１の山形摺動面６２上を摺動し、前方に移動する。その後、スライダー７の持上係止部７３が進入空間６９内に進入するようになっている。
【００６９】
一方、スライダー７は、図１８，１９に示すように、本体となるスライド本体７０が、直方体形状に形成され、スライド本体７０の前部に、持上係止部７３が前方を向けて突設される。スライド本体７０の両側に、平坦な側部摺動面７１が形成され、スライダー７を扉本体２の内側面に固定し、扉本体２を収納部９の上部内に挿入したとき、その平坦な側部摺動面７１がスライドレール６のレール側部摺動面６３に接触可能となる。これにより、図２０に示すように、開いた扉本体２を引き出して閉じる際、スライダー７の側部摺動面７１が、スライドレール６のレース側部摺動面６３に摺接し、或いはレース側部摺動面６３と間で少し隙間をあけて移動し、扉本体２を安定して引き出し或いは押し込み移動可能としている。
【００７０】
図１８，１９に示す如く、スライダー７の形状は、比較的単純な直方体形状であり、上記実施形態のものに比して、小形化し単純化することができ、キャビネット等の収納部のスペースを広く使用することができ、且つ製造コストを低減することができる。スライダー７の固定面７８は、スライド本体７０の上面に形成され、固定面７８から底面にかけて固定孔７７が形成され、固定ねじと固定孔７７により、スライダー７は、扉本体２の後端部下面に、持上係止部７３を前方に向けた固定される。
【００７１】
また、スライダー７の固定面７８は平坦とされ、上記実施形態のスライダーに設けた位置決め部は削除し、固定面７８から直角に下がる背面となっている。これにより、扉本体２の後端部（上端部）への固定位置を調整可能とし、扉本体２の閉鎖時に、扉本体２の上端とキャビネット内側面の間に生じる隙間を最少に調整することができる。
【００７２】
スライダー７は、図１８，１９に示すように、スライド本体７０の前部に、持上係止部７３が前方を向けて突設され、持上係止部７３は、先端部にフック状の係止先端部７６を、上向きに設けた形状に形成される。この持上係止部７３の係止先端部７６は、図２２に示すように、扉本体２を引き出し下側に回動操作して閉じる際、スライドレール６の曲り壁部６４の内側に係止され、扉本体２を安定して閉鎖状態（略鉛直に近い状態）に保持するようになっている。
【００７３】
さらに、図１８,１９に示すように、持上係止部７３の係止先端部７６から背面側にかけて、持上傾斜面７５が徐々に上方に向かうように傾斜して形成され、持上傾斜面７５の中間部に、円弧状凹面７４が形成される。図２３に示すように、扉本体２を閉じるように扉本体２を下側に回動操作したとき、この円弧状凹面７４に、スライドレール６の曲り壁部６４の上端の持上端部６５が点Ｄで当接し、点Ｄには、スライダー７及び扉本体２を持ち上げる持上力Ｆ３が作用するようになっている。
【００７４】
上記構成のフラップ扉は、例えば、本棚、書庫等のキャビネット８の収納部９に取り付けて使用される。左右１対のスライドレール６は、図１３，１４に示す如く、各々、キャビネット８の収納部９内における、左右の内側壁部両側の上部に、そのレール摺動面６０を上に向けて水平に配置し、前後両側の固定孔６８に固定ねじを差し込んで、固定される。
【００７５】
スライドレール６の高さ位置は、図１５に示すように、レールの上方に、十分な余地空間をもって扉本体２が挿入可能な空間をおいた位置に、スライドレール６は取り付けられる。さらに、収納部９の側壁の両側奥部に、ストッパ５が固定される。ストッパ５は、開放時に扉本体２を収納部９の上部に水平に引き戻したとき、扉本体２の後端部が当接する位置に、固定ねじで固定される。
【００７６】
ストッパ５は、スライドレール６に対して任意の適正な位置に固定することができるので、これにより、各種長さの扉本体２を、適正な開放位置（水平挿入位置）で止めることができ、仮に、扉本体２の長さや収納部９の奥行長が異なるキャビネット８であっても、適正な水平挿入位置で扉本体２を止めることができる。従って、このフラップ扉のスライドレール６は、例えば１種類の長さのものを製造するのみで、各種大きさのキャビネット８に使用することができる。
【００７７】
一方、扉本体２の後端部下面の両側に、スライダー７がその持上係止部７３を手前に向けた状態で固定される。１対のスライダー７の間隔は、図１４に示すように、１対のスライドレール６の内側に摺動可能に位置する距離間隔で固定する。このようなスライダー７は、その上面の固定面７８を扉本体２の後端部下面に当て、固定孔７７に固定ねじをねじ込み締付固定すればよい。このため、キャビネットなどの家具類の収納部に、後付けで、フラップ扉を、一般的なユーザーであっても、簡単に取り付けることができる。扉本体２の内側面の左右両側に取り付けられる１対のスライダー７は、同一形状であるので、左右の別を確認することなく、容易に固定することができる。
【００７８】
このように、１対のスライドレール６及び１対のスライダー７は、簡単に且つ後付けでも取り付けることができ、キャビネットを購入したユーザーが、自分でフラップ扉を取り付ける場合でも、簡単に取り付けることができる。
【００７９】
スライダー７を内側後端部（奥部）の両側に固定した扉本体２を、キャビネット８の収納部９に組み付ける場合、扉本体２の後端部を、収納部９内の上部空間位置に差し込むように挿入する。このとき、内側後端部両側のスライダー７が、両側のスライドレール６の側部摺動面７１の内側に入り、扉本体２の両側の内側縁部がスライドレール６の山形支持当接部６１上及びレール摺動面６０の後部上に載置されるように挿入する。
【００８０】
この操作により、扉本体２は、図１５に示す如く、その両側がスライドレール６の山形支持当接部６１上及びレール摺動面６０上に乗り、前後に摺動可能な状態となり、扉本体２が収納部９内に装着される。
【００８１】
図５に示すように、扉本体２が収納部９内上部に差し込まれた状態が開放状態であり、この状態から、収納部９を扉本体２により閉鎖する場合、先ず、扉本体２を手前に引き出す。このとき、図２０に示すように、両側のスライダー７の側部摺動面７１が、両側のスライドレール６のレール側部摺動面６３とレール側部摺動面６３間を摺動し、図２１のように、扉本体２の両側縁部の内側面が、両側のスライドレール３の山形支持当接部６１上とレール摺動面６０上を摺動し、円滑に引き出すことができる。このとき、扉本体２の前部を少し持ち上げるようにして引き出してもよい。
【００８２】
次に、両側のスライダー７の持上係止部７３が、図２２に示す如く、扉本体２の引き出し端で、スライドレール６の山形支持当接部６１に当接する。このとき、図２２のように、扉本体２の前部を少し下方に押して下側に回動させる。扉本体２は、図２２に示す如く、スライドレール６の持上係止部７３の係止先端部７６を支点に、そのスライダー７を上側に上げるように回動する。
【００８３】
このとき、スライダー７は、その持上傾斜面７５を、レールの持上端部６５に摺接させながら、回動する。そして、図２２に示すように、扉本体２の内側面が、スライドレール６の曲り壁部６４の傾斜面６６に当接した状態となる。この状態で、扉本体２は、収納部９の開口部に対し約４５度程度の傾斜角度となり、約半分まで閉じた状態となる。
【００８４】
そして、さらに扉本体２を下側に回動させると、図２２に示すように、扉本体２の内側面が、曲り壁部６４の傾斜面６６に当接し下側に滑りながら回動し、図２３に示すように、曲り壁部６４の持上端部６５が、スライダー７の持上係止部７３の円弧状凹面７４に当接した状態となる。
【００８５】
このように、扉本体２を下側に回動させて閉じるとき、従来のように軸ピンを中心に扉本体が回動するのではなく、スライダー７とスライドレール６の当接作用により、扉本体２が下側に滑りながら回動するため、必要とする収納部９内上部空間、つまり扉本体２の回動高さ幅を小さくすることができる。
【００８６】
またこのとき、扉本体２の内側面は、図２３に示す如く、曲り壁部６４の傾斜面６６上のＢ点（図２３のＢ点の紙面厚さ方向に延びる線上）に載置された状態となる。さらにこのとき、曲り壁部６４は、扉本体２の内側面とスライダー７の持上係止部７３の円弧状凹面７４との間に挟まれ、且つ戸当たりもあって、扉本体２の状態は保持される。
【００８７】
そして、図２２の上側から下側に示す如く、扉本体２を完全に閉じるように扉本体２を回動させると、扉本体２には、図２３に示す如く、曲り壁部６４の傾斜面６６上の支点Ｂとするモーメントが作用する。このとき、曲り壁部６４は、扉本体２の内側面とスライダー７の持上係止部７３の円弧状凹面７４間に挟まれた状態となっており、曲り壁部６４先端の持上端部６５とスライダー７の持上係止部７３の円弧状凹面７４とは、当接点Ｄにおいて当接した状態となる。
【００８８】
このため、図２３に示すように、扉本体２を閉じる方向に閉鎖力Ｆ０で押したとき、支点Ｂの回りのモーメントから、曲り壁部６４先端の持上端部６５（当接点Ｄ）は、スライダー７の持上係止部７３の円弧状凹面７４から押圧力Ｆ１を受ける。これにより、円弧状凹面７４の当接点Ｄは、その反力として、持上端部６５から、押圧力（持上力）Ｆ１の垂直方向の分力である、押上力Ｆ３を受けることとなる。
【００８９】
このため、扉本体２が閉鎖側に回動されたとき、図２３に示すように、曲り壁部６４先端の持上端部６５が、円弧状凹面７４からその下側の持上傾斜面７５に摺接するように、持上係止部７３の円弧状凹面７４が上側に回動し、図２２の上側から下側に示す如く、スライダー７の持上係止部７３が持ち上げられる。これにより、スライダー７とともに扉本体２が上昇し、閉鎖時における扉本体２の上端部と収納部９の天板間の隙間Ｃ１は、図２２下側に示すように最少状態となる。またこのとき、持上端部６５の当接点が円弧状凹面７４から持上傾斜面７５に移行して角部を乗り越え、扉本体２は安定状態となる。
【００９０】
閉鎖状態は、図２２下側に示す如く、持上端部６５が持上傾斜面７５に当接し、その状態で、扉本体２の自重による荷重が、持上傾斜面７５の当接部分から持上端部６５にかかる。このため、その当接部分の摩擦抵抗により、図２２下側に示す扉本体２の閉鎖状態は、保持される。
【００９１】
なお、図２２下側に示す図は、扉本体２を、キャビネット前面のブックスタンドとして使用可能なように、扉本体２の下部を少し手前に出した状態で閉鎖状態としているが、扉本体２をキャビネット８の収納用開口部に合せて、９０°の鉛直姿勢で閉鎖することも可能である。その場合、両側のスライドレール６に位置を少し手前に取り付け、扉本体２の下端部を収納部９内に進入させ、キャッチで止めるようにすればよい。
【００９２】
このように、扉本体２を閉じる際、扉本体２が軸ピンなどの軸中心を軸に回動して閉じるのではなく、スライドレール６上を摺動する扉本体２のスライダー７が、スライドレール端に達した後、スライダー７の持上係止部７３の円弧状凹面７４及び持上傾斜面７５とスライドレール６側の曲り壁部６４の持上端部６５との作用により、スライダー７が持ち上がるように回動して、フラップ扉が閉じられるため、閉鎖状態における扉本体２の上側の隙間Ｃ１を、最少とすることができる。
【００９３】
また、扉本体２の後端部（上端部）に固定するスライダー７の位置は、扉本体２の後端部（上端部）より少し内側に入った位置にするなどして、調整することによっても、閉鎖状態における扉本体２の上側の隙間Ｃ１を、最少とすることができる。
【００９４】
扉本体２が閉鎖されたとき、図２２下側に示す状態となるが、このとき、スライダー７の持上係止部７３の係止先端部７６が、スライドレール６側の曲り壁部６４の持上端部６５に係止され、或いは係止可能な状態となっているので、不用意に扉本体２が外れることはない。
【００９５】
一方、閉鎖した状態の扉本体２を開く場合、扉本体２の下部を手前に引くように、上側に回動させる。このとき、扉本体２は、その内側面の支点Ｂを中心に図２３の反時計方向に回動し、図２２上図に示す状態となる。
【００９６】
さらに、扉本体２が回動すると、図２１の下図から上図に示すように、扉本体２の内側面の当接位置が、スライドレール６の傾斜面６６から持上端部６５に移動し、スライダー７の持上傾斜面７５が曲り壁部６４から離れる。
【００９７】
そしてさらに、扉本体２を上側に回動させながら、扉本体２の後部を収納部９内上部に差し込むと、両側のスライダー７の側部摺動面７１が両側のスライドレール６のレール側部摺動面６３間で摺動し、扉本体２の両側縁部内側面がスライドレール６の持上端部６５上及びレール摺動面６０上で、後方に摺動し、図２０の上図に示すような開放状態となる。
【００９８】
なお、扉本体２をキャビネット８から外す場合、図１５に示す状態において、扉本体２全体をそのまま少し上に持ち上げ、手前に引き出せば、スライダー７がスライドレール６の山形支持当接部６１を、手前に簡単に乗り越えて引き出せるので、扉本体２をキャビネット８から容易に外すことができる。
【符号の説明】
【００９９】
２      扉本体
３      スライドレール
４      スライダー
５      ストッパ
６      スライドレール
７      スライダー
８      キャビネット
９      収納部
３０    レール摺動面
３１    当接部
３１ａ  傾斜面
３２    山形摺動面
３３    当接端部
３４    壁部
３５    持上端部
３６    第１傾斜面
３７    第２傾斜面
３８    固定孔
３９    進入空間
４０    摺動部本体
４１    第１摺動面
４２    当接面
４３    持上係止部
４４    円弧状凹面
４５    持上傾斜面
４６    係止先端部
４７    固定孔
４８    傾斜摺動面
４９    位置決め部
５０    キャビネット
５１    扉
５２    レール
５３    軸ピン部材
５４    軸ピン
６０    レール摺動面
６１    山形支持当接部
６２    山形摺動面
６３    レール側部摺動面
６４    曲り壁部
６５    持上端部
６６    傾斜面
６８    固定孔
６９    進入空間
７０    スライド本体
７１    側部摺動面
７３    持上係止部
７４    円弧状凹面
７５    持上傾斜面
７６    係止先端部
７７    固定孔
【図１】
2018048544.tif 000003
【図２】
2018048544.tif 000004
【図３】
2018048544.tif 000005
【図４】
2018048544.tif 000006
【図５】
2018048544.tif 000007
【図６】
2018048544.tif 000008
【図７】
2018048544.tif 000009
【図８】
2018048544.tif 000010
【図９】
2018048544.tif 000011
【図１０】
2018048544.tif 000012
【図１１】
2018048544.tif 000013
【図１２】
2018048544.tif 000014
【図１３】
2018048544.tif 000015
【図１４】
2018048544.tif 000016
【図１５】
2018048544.tif 000017
【図１６】
2018048544.tif 000018
【図１７】
2018048544.tif 000019
【図１８】
2018048544.tif 000020
【図１９】
2018048544.tif 000021
【図２０】
2018048544.tif 000022
【図２１】
2018048544.tif 000023
【図２２】
2018048544.tif 000024
【図２３】
2018048544.tif 000025
【図２４】
2018048544.tif 000026